【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
複数の広告のそれぞれについて、該広告に関連付けられた複数のパフォーマンス・カテゴリのそれぞれの重み付けを決定する工程であって、前記重み付けは、前記パフォーマンス・カテゴリの１以上に対する広告主の意向についての前記広告主から受け取る情報に基づいて決定される、工程と、
クライアントから広告の要求を受信する工程と、
前記広告のうちの１以上のそれぞれについて、
前記パフォーマンス・カテゴリのそれぞれに対して予測される広告パフォーマンス値を決定する工程であって、パフォーマンス・カテゴリに対して予測される前記広告パフォーマンス値は、前記パフォーマンス・カテゴリに関連付けられている目標と前記目標を達成する前記クライアントに前記広告を提供している予測される程度との間の相関に基づく、工程と、
前記パフォーマンス・カテゴリのそれぞれに対して、前記クライアントに前記広告を表示するためのインプレッション値を決定する工程であって、パフォーマンス・カテゴリに対する前記広告の前記インプレッション値は、前記パフォーマンス・カテゴリに対する前記重み付けによって重み付けされた前記パフォーマンス・カテゴリに対する予測される前記広告パフォーマンス値を含む、工程と、
プロセッサが、前記パフォーマンス・カテゴリに対する前記インプレッション値の集約に基づいて前記広告に対して付け値を決定する工程と、
受信される前記広告に対して決定される前記付け値に基づいて、受信される広告を選択する工程と、
選択される前記広告を表示のために前記クライアントに送信する工程とを備える、方法。
【請求項２】
広告主から広告を受信する工程と、
プロセッサが、受信した前記広告に対して複数のパフォーマンス・カテゴリのそれぞれの重み付けを決定する工程であって、前記重み付けは、前記パフォーマンス・カテゴリの１以上に対する前記広告主の意向についての前記広告主から受信した情報に基づいて決定される、工程と、
クライアントから広告の要求を受信する工程と、
前記パフォーマンス・カテゴリのそれぞれに対して予測される広告パフォーマンス値を
決定する工程であって、パフォーマンス・カテゴリに対して予測される前記広告パフォーマンス値は、前記パフォーマンス・カテゴリに関連付けられている目標と前記目標を達成する前記クライアントに前記広告を提供している予測される程度との相関に基づく、工程と、
前記パフォーマンス・カテゴリのそれぞれに対して、前記クライアントに前記広告を表示するためのインプレッション値を決定する工程であって、パフォーマンス・カテゴリに対する前記広告の前記インプレッション値は、前記パフォーマンス・カテゴリに対する前記重み付けによって重み付けされた前記パフォーマンス・カテゴリに対する予測される前記広告パフォーマンス値を含む、工程と、
前記パフォーマンス・カテゴリに対する前記インプレッション値の集約に基づいて、受信される前記広告に対して付け値を決定する工程とを備える、方法。
【請求項３】
前記クライアントから広告の要求を受信する工程は、該クライアントがウェブ・ページを要求することに応答してウェブ・サーバにおいて広告の要求を受信する工程を含む、請求項２に記載の方法。
【請求項４】
前記要求の受信は、アプリケーションのユーザと該アプリケーションとの対話に応答して、該アプリケーションから広告の要求を受信する工程を含む、請求項２に記載の方法。
【請求項５】
前記複数のパフォーマンス・カテゴリは、前記広告が選択される公算を少なくとも含む、請求項２に記載の方法。
【請求項６】
前記複数のパフォーマンス・カテゴリは、前記広告のリーチを少なくとも含む、請求項２に記載の方法。
【請求項７】
前記複数のパフォーマンス・カテゴリは、前記広告内におけるソーシャル・ネットワーキング・システムの機能またはコンテキストの存在を少なくとも含む、請求項２に記載の方法。
【請求項８】
前記複数のパフォーマンス・カテゴリは、前記広告の閲覧者が前記広告に関して特定のアクションを行う公算を少なくとも含む、請求項２に記載の方法。
【請求項９】
前記広告の要求に関連付けられる予測される前記広告パフォーマンス値は、前記広告の要求または前記広告に関連付けられる履歴データに基づいて決定される、請求項２に記載の方法。
【請求項１０】
予測される前記広告パフォーマンス値は、前記複数のパフォーマンス・カテゴリのそれぞれに対して１つの値を含み、各値は区間［０．０，１．０］に存在する、請求項２に記載の方法。
【請求項１１】
前記パフォーマンス・カテゴリに対するインプレッション値を決定する工程は、前記パフォーマンス・カテゴリに対する予測される前記広告パフォーマンス値に、前記パフォーマンス・カテゴリに対する前記重み付けを乗じる工程をさらに含む、請求項２に記載の方法。
【請求項１２】
前記付け値を決定する工程は、
前記広告のインプレッション目標に基づいてペーシング値を決定する工程と、
前記パフォーマンス・カテゴリに対する前記インプレッション値の集約と組み合わされた前記ペーシング値に基づいて前記付け値を決定する工程とをさらに含む、請求項２に記載の方法。
【請求項１３】
前記インプレッション目標を基準にして前記広告のインプレッション目標に達するために要する残りインプレッションの割合と前記広告の残り時間の割合とに基づいて、ペーシング値重みを決定する工程と、
重み付けされた前記ペーシング値に基づいて前記付け値を決定する工程とをさらに備える、請求項１２に記載の方法。
【請求項１４】
複数の広告のそれぞれに対して付け値を決定する工程と、
前記複数の広告について決定される前記付け値に基づいて、該複数の広告からクライアントに表示する広告を選択する、表示広告選択工程とをさらに含む、請求項２に記載の方法。
【請求項１５】
付け値を決定する方法であって、
広告主から広告を受信する工程と、
プロセッサが、該広告と閲覧者との複数の対話、該広告のリーチ、および該広告のソーシャル・コンテキストのそれぞれに対して重み付けを前記広告のパフォーマンスに関連する広告主の意向についての前記広告主から受信した情報に基づいて決定する工程と、
クライアントから広告の要求を受信する工程と、
受信した前記広告に対して付け値を決定する、付け値決定工程とを備え、
前記付け値決定工程は、
前記広告と閲覧者との対話、前記広告のリーチ、および前記広告のソーシャル・コンテキストのそれぞれに対する予測される広告パフォーマンス値を決定する工程であって、予測される各広告パフォーマンス値は、対応する前記広告と閲覧者との対話、前記広告のリーチ、または前記広告のソーシャル・コンテキストに関連付けられている目標と、前記目標を達成する前記クライアントに前記広告を提供している予測される程度との間の相関に基づく、工程と、
前記広告と閲覧者との対話、前記広告のリーチ、および前記広告のソーシャル・コンテキストのそれぞれに対して、前記広告を前記クライアントに表示するためのインプレッション値を決定する工程であって、前記広告の各インプレッション値は、対応する前記重み付けによって重み付けされた対応する前記広告と閲覧者との対話、前記広告のリーチ、または前記広告のソーシャル・コンテキストに対する予測される前記広告パフォーマンス値を含む、工程と、
前記広告と閲覧者との対話、前記広告のリーチ、および前記広告のソーシャル・コンテキストに対する前記インプレッション値の集約に基づいて、受信した前記広告に対して付け値を決定する工程とを含む、方法。
【請求項１６】
複数の広告のそれぞれに対して付け値を決定する工程と、
前記複数の広告について決定される前記付け値に基づいて前記複数の広告から前記クライアントに表示する広告を選択する、表示広告選択工程とをさらに備える、請求項１５に記載の方法。
【請求項１７】
前記表示広告選択工程は、決定される最高の付け値に関連付けられた前記広告を選択する工程を含む、請求項１６に記載の方法。